(57)【特許請求の範囲】
【請求項１】
物体側から像側へ順に、正の屈折力を有しズーミングのためには移動しない第１群、負の屈折力を有しズーミングに際して移動する第２群、正の屈折力を有しズーミングに際して移動する第３群、正の屈折力を有しズーミングのためには移動しない第４群で構成されるズームレンズにおいて、
該第１群は、物体側から像側へ順に、合焦のためには移動しない第１ａ群と、正の屈折力を有し合焦に際して移動する第１ｂ群とから構成され、該第１ａ群は物体側から順に負正正の屈折力を有する３枚のレンズで構成され、該第１ａ群の負レンズの像側の面の曲率半径をＲ１２、該第１ａ群の物体側の正レンズの物体側の面の曲率半径をＲ２１、該第１群の焦点距離をｆ１、該ズームレンズの望遠端の焦点距離をｆｔとしたとき、
０．５＜｜（Ｒ１２＋Ｒ２１）／（Ｒ１２−Ｒ２１）｜＜４０
２．５＜ｆｔ／ｆ１＜４．７
なる条件を満足することを特徴とするズームレンズ。
【請求項２】
広角端から望遠端へのズーミングの際に、前記第２群および前記第３群が、結像倍率−１倍の点を同時に通過することを特徴とする請求項１に記載のズームレンズ。
【請求項３】
前記第１ａ群の負レンズの物体側の面の曲率半径をＲ１１としたとき、
−０．２＜（Ｒ１１＋Ｒ１２）／（Ｒ１１−Ｒ１２）＜１.０
なる条件を満足することを特徴とする請求項１又は２に記載のズームレンズ。
【請求項４】
前記第１群の後側主点位置をＯｋ１、前記第１群と第２群の広角端における主点間隔をＬ１ｗとしたとき、
−７．０×１０−２＜Ｏｋ１／ｆ１＜−３．０×１０−２
６．０×１０−２＜Ｌ１ｗ／ｆ１＜１．０×１０−1
なる条件を満足することを特徴とする請求項１乃至３のいずれか１項に記載のズームレンズ。
【請求項５】
前記第１ａ群の２枚の正レンズの合成焦点距離ｆ１ａｔ、前記第１ａ群の像側の正レンズの焦点距離をｆ１ａｉとしたとき、
１．５＜ｆ１ａｉ／ｆ１ａｔ＜３．５
なる条件を満足することを特徴とする請求項１乃至４のいずれか１項に記載のズームレンズ。
【請求項６】
前記第１群の正レンズの平均アッベ数をνｐ、前記第１群の負レンズの平均アッベ数をνｎとしたとき、
９０＜νｐ＜１００
３０＜νｎ＜４０
５６＜νｐ−νｎ＜６０
なる条件を満足することを特徴とする請求項１乃至５のいずれか１項に記載のズームレンズ。
【請求項７】
請求項１乃至６のいずれか１項に記載のズームレンズと、
該ズームレンズによって形成された像を受光する固体撮像素子と、を有することを特徴とする撮像装置。
【発明の詳細な説明】
【技術分野】
【０００１】
本発明はズームレンズ及びそれを有する撮像装置に関し、放送用テレビカメラ、ビデオカメラ、デジタルスチルカメラ、銀塩写真用カメラ等に好適なものである。
【背景技術】
【０００２】
近年テレビカメラ、銀塩フィルム用カメラ、デジタルカメラ、ビデオカメラ等の撮像装置には、広角化と高倍率化を両立しつつ、高い光学性能を有したズームレンズが要望されている。高倍率のズームレンズとして、正の屈折力の第１レンズ群、変倍用の負の屈折力の第２レンズ群、像面変動補正用の正の屈折力の第３レンズ群、結像用の正の屈折力の第４レンズ群より成る４群ズームレンズが知られている。
【０００３】
例えば、特許文献１では、広角端画角が６０．９３°でズーム倍率が９６倍程度であるズームレンズが開示されている。特許文献２では、広角端画角が６０．３５°でズーム倍率が５５倍程度であるズームレンズが開示されている。
【先行技術文献】
【特許文献】
【０００４】
【特許文献１】特開２００４−２６４４５８号公報
【特許文献２】特開２００８−４０３９５号公報
【発明の概要】
【発明が解決しようとする課題】
【０００５】
前述した４群ズームレンズは高倍率化に有利である。一方、近年では、高倍率ズームレンズにおいても広角化の要望がある。
【０００６】
しかしながら、高倍率化を達成しようとすると、変倍群の可動領域を長く確保する必要があり、最も物体側に配置される第１群のレンズ径が大きくなる傾向がある。また、広角化を達成しようとすると、レンズに取り込む光線入射角を広く確保する必要があり、やはり第１群のレンズ径が大きくなる傾向がある。広角化と高倍率化を両立しながら第１群のレンズ径の増大を抑制するためには、第１群の主点位置を像側に押し出すことが有効である。このとき第１群の構成が不適切であると、主点を押し出すことと、望遠側の球面収差や広角側の軸外収差を補正することの両立が困難となる。
【０００７】
本発明は、第１群を適切に構成することで、小型軽量化が容易で、且つ広角化と高倍率化を達成しつつ、諸収差を良好に補正可能なズームレンズ及びそれを有する撮像装置の提供を目的とする。
【課題を解決するための手段】
【０００８】
本発明のズームレンズは、物体側から像側へ順に、正の屈折力を有しズーミングのためには移動しない第１群、負の屈折力を有しズーミングに際して移動する第２群、正の屈折力を有しズーミングに際して移動する第３群、正の屈折力を有しズーミングのためには移動しない第４群で構成されるズームレンズにおいて、前記第１群は、物体側から像側へ順に、合焦のためには移動しない第１ａ群と、正の屈折力を有し合焦に際して移動する第１ｂ群とから構成され、前記第１ａ群は負正正の屈折力を有する３枚のレンズで構成され、前記第１ａ群の負レンズの像側の面の曲率半径をＲ１２、前記第１ａ群の物体側の正レンズの物体側の面の曲率半径をＲ２１とし、前記第１群の焦点距離をｆ１、望遠端の焦点距離をｆｔとしたとき、
０．５＜｜（Ｒ１２＋Ｒ２１）／（Ｒ１２−Ｒ２１）｜＜４０
２．５＜ｆｔ／ｆ１＜４．７
なる条件を満足することを特徴としている。
【発明の効果】
【０００９】
本発明によれば、第１群を適切に構成することで、小型軽量化が容易で、且つ広角化と高倍率化を達成しつつ、諸収差を良好に補正可能なズームレンズが得られる。
【図面の簡単な説明】
【００１０】
【図１】数値実施例１の広角端、無限遠合焦時のレンズ断面図
【図２Ａ】数値実施例１の広角端で無限遠合焦時の収差図
【図２Ｂ】数値実施例１の中間のズーム位置で無限遠合焦時の収差図
【図２Ｃ】数値実施例１の望遠端で無限遠合焦時の収差図
【図３】数値実施例２の広角端、無限遠合焦時のレンズ断面図
【図４Ａ】数値実施例２の広角端で無限遠合焦時の収差図
【図４Ｂ】数値実施例２の中間のズーム位置で無限遠合焦時の収差図
【図４Ｃ】数値実施例２の望遠端で無限遠合焦時の収差図
【図５】数値実施例３の広角端、無限遠合焦時のレンズ断面図
【図６Ａ】数値実施例３の広角端で無限遠合焦時の収差図
【図６Ｂ】数値実施例３の中間のズーム位置で無限遠合焦時の収差図
【図６Ｃ】数値実施例３の望遠端で無限遠合焦時の収差図
【図７】本発明の撮像装置の要部概略図
【発明を実施するための形態】
【００１１】
以下には、本発明の実施の形態を添付の図面に基づいて詳細に説明する。
【００１２】
本発明のズームレンズは、物体側から像側へ順に、変倍のためには不動の正の屈折力を有する第１レンズ群と、変倍のために移動する負の屈折力を有する第２レンズ群と、を有する。更に変倍に伴う像面の変動を補正するために移動する正の屈折力を有する第３レンズ群と、変倍のためには不動の正の屈折力を有する第４レンズ群を有する。ここでレンズ群が変倍のためには不動というのは、レンズ群が変倍を行う目的で駆動されることは無いが、変倍と合焦とを同時に行う場合があれば、レンズ群が合焦のために移動する場合はあり得ることである。
【００１３】
図１は本発明の実施例１（数値実施例１）のズームレンズの広角端（焦点距離、ｆ＝８．２ｍｍ）で無限遠物体に合焦している状態におけるレンズ断面図である。図２Ａは数値実施例１の広角端における無限遠合焦時の収差図、図２Ｂは中間のズーム位置（焦点距離）ｆ＝３２０ｍｍにおける無限遠合焦時の収差図、図２Ｃは望遠端ｆ＝７３８ｍｍにおける無限遠物体に合焦時の収差図である。但し、焦点距離は数値実施例の値をｍｍ単位で表したときの値である。これは以下の各実施例において全て同じである。
【００１４】
図３は本発明の実施例２（数値実施例２）のズームレンズの広角端（ｆ＝８．７ｍｍ）、無限遠物体に合焦している状態におけるレンズ断面図である。図４Ａは数値実施例２の広角端における無限遠合焦時の収差図、図４Ｂは中間のズーム位置（焦点距離）ｆ＝３００ｍｍにおける無限遠合焦時の収差図、図４Ｃは望遠端ｆ＝１０４４ｍｍにおける無限遠物体に合焦時の収差図である。
【００１５】
図５は本発明の実施例３（数値実施例３）のズームレンズの広角端（ｆ＝９．０ｍｍ）、無限遠物体に合焦している状態におけるレンズ断面図である。図６Ａは数値実施例３の広角端における無限遠合焦時の収差図、図６Ｂは中間のズーム位置（焦点距離）ｆ＝３２０ｍｍにおける無限遠合焦時の収差図、図６Ｃは望遠端ｆ＝８１０ｍｍにおける無限遠物体に合焦時の収差図である。
【００１６】
各レンズ断面図において、左方が被写体（物体）側（前方）で、右方が像側（後方）である。レンズ断面図において、Ｆは変倍のためには不動の第１レンズ群としての正の屈折力を有する前玉レンズ群である。１ｂは第１レンズ群Ｆ中のフォーカスレンズ群であり、無限遠物体から近距離物体へのフォーカスに際して物体側へ移動する。１ａは第１レンズ群Ｆ中のフォーカス時に不動の固定群である。Ｖは変倍用の第２レンズ群としての負の屈折力を有するバリエータであり、光軸上を像面側へ単調に移動させることにより、広角端から望遠端への変倍を行っている。Ｃは第３レンズ群としての正の屈折力を有するコンペンセータであり、広角端から望遠端への変倍に際して変倍に伴う像面変動を補正するために光軸上を物体側へ非直線的に移動している。バリエータＶとコンペンセータＣとで変倍系を構成している。ＳＰは絞り（開口絞り）である。Ｒは第４レンズ群としての結像作用を有する正の屈折力を有する固定のリレーレンズ群である。Ｐは色分解プリズムや光学フィルタ−等であり、同図ではガラスブロックとして示している。Ｉは撮像面であり、ズームレンズで形成された像を受光し、光電変換する固体撮像素子（光電変換素子）の撮像面に相当している。
【００１７】
収差図において、球面収差図における直線と二点鎖線は各々ｅ線，g線に対する収差を示す。非点収差図における点線と直線は各々メリディオナル像面，サジタル像面における収差を示し、倍率色収差図はｇ線に対する収差を示す。ωは半画角、ＦｎｏはＦナンバーである。尚、以下の各実施例において広角端と望遠端は変倍用レンズ群が機構上、光軸上を移動可能な範の両端に位置したときのズーム位置をいう。
【００１８】
各実施例のズームレンズにおいて、物体側から順に、変倍中固定の正の第１群、変倍用に移動の負の第２群、変倍に伴う像面変動を補正用に移動の正の第３群、変倍中固定の正の第４群で構成されるズームレンズにおいて、前記第１群は、合焦時固定の第１ａ群と、合焦用に移動の正の第１ｂ群を有しており、前記第１ａ群は負正正の３枚で構成され、前記第１ａ群の負レンズの像側の面の曲率半径をＲ１２、前記第１ａ群の物体側の正レンズの物体側の面の曲率半径をＲ２１としたとき、
０．５＜｜（Ｒ１２＋Ｒ２１）／（Ｒ１２−Ｒ２１）｜＜４０  ・・・（１）
なる条件を満足している。  
【００１９】
各実施例のズームレンズは、第１レンズ群内の１ａ群のレンズ構成と形状を適切に規定していることを特徴としている。ここで条件式（１）は、１ａ群の負レンズと物体側の正レンズの間に形成される空気レンズのシェイプファクタの絶対値を規定している。各実施例のズームレンズでは、この空気レンズのシェイプファクタを適切に設定することが、広角化とレンズの小型化を両立する上で重要な要素となっている。条件式（１）を満足することで、広角化をするために第１群の主点を像側に押し出しても、ズーム全域で収差を良好に補正することが可能となる。条件式（１）の上限が満足されないと、空気レンズのパワーが殆ど無いため、収差補正の中でも特に望遠側の球面収差変動と、広角側の軸外収差変動を補正することが困難となる。条件式（１）の下限が満足されないと、空気レンズのパワーが大き過ぎるため、主点が像側に出過ぎてしまい、レンズ径も全長も大きくなり易い。
【００２０】
また、条件式（１）は、第１群の焦点距離をｆ１、ズームレンズの望遠端の焦点距離をｆｔとしたとき、
２．５＜ｆｔ／ｆ１＜４．７                                ・・・（２）
を満足するような高倍率のズームレンズに適用することで、より大きな効果を得ることができる。条件式（２）の下限が満足されないと、第３群のパワーが大きくなり過ぎるため、望遠側の球面収差変動と、広角側の軸外収差変動を補正することが困難となる。条件式（２）の上限が満足されないと、第１群の望遠端における拡大率が大きくなり過ぎるため、望遠側の球面収差変動や軸上色収差を補正することが困難となる。
更に好ましくは、
２．９＜ｆｔ／ｆ１＜４.３                                ・・・（２ａ）
を満足することが望ましい。
【００２１】
以上のように各要素を設定することにより、各実施例によれば広角端の画角が６２°を超え、９０倍以上のズーム比を達成しつつ、ズーム全域において収差補正が良好で、小型、軽量なズームレンズを得ることができる。
【００２２】
各実施例において、変倍時に第２群および第３群が、結像倍率−１倍の点を同時に通過するよう設定すると、高倍率化に有利であり、より好ましい。
【００２３】
各実施例において、更に好ましくは１ａ群の負レンズの物体側の面の曲率半径をＲ１１としたとき、
−０．２＜（Ｒ１１＋Ｒ１２）／（Ｒ１１−Ｒ１２）＜１.０    ・・・（３）
なる条件を満足するのが良い。条件式（３）は、１ａ群の負レンズのシェイプファクタを規定している。条件式（３）の下限が満足されないと、物体側の曲率半径が小さくなり過ぎるため、広角側における歪曲収差変動を補正することが困難となる。条件式（３）の上限が満足されないと、広角側における軸外収差変動を補正することが困難となる。
更に好ましくは、
−０．１＜（Ｒ１１＋Ｒ１２）／（Ｒ１１−Ｒ１２）＜０．９    ・・・（３ａ）
を満足することが望ましい。
【００２４】
更に好ましくは、第１群の後側主点位置をＯｋ１としたとき、
−７．０×１０−２＜Ｏｋ１／ｆ１＜−３．０×１０−２          ・・・（４）
なる条件を満足するのが良い。条件式（４）は、第１群の後側主点を規定している。条件式（４）の下限が満足されないと、後側主点が像側に出ていないため、広角化をすることが困難となる。条件式（４）の上限が満足されないと、後側主点が像側に出過ぎており、第１群中のフォーカス移動群の径が大きくなり、また固定群のパワーも大きくなり過ぎるため、ズーム全域の収差補正が困難となる。
更に好ましくは、
−６．９６×１０−２＜Ｏｋ１／ｆ１＜−４．０×１０−２        ・・・（４ａ）
を満足することが望ましい。
【００２５】
更に、第１群と第２群の広角端における主点間隔をＬ１ｗとしたとき、
６．０×１０−２＜Ｌ１ｗ／ｆ１＜１．０×１０−1              ・・・（５）
なる条件を満足することが好ましい。条件式（５）は、広角端における第１群の後側主点と第２群の前側主点の間の主点間隔を規定している。条件式（５）の下限が満足されないと、第１群または第２群の何れかのレンズ群で主点を大きくコントロールする必要があり、収差補正との両立が困難である。条件式（５）の上限が満足されないと、広角化と小型化の両立が困難となる。
更に好ましくは、
７．０×１０−２＜Ｌ１ｗ／ｆ１＜１．０×１０−1              ・・・（５ａ）
を満足することが望ましい。
【００２６】
更に好ましくは第１ａ群の２枚の正レンズの合成焦点距離ｆ１ａｔ、第１ａ群の像側の正レンズの焦点距離をｆ１ａｉとしたとき、
１．５＜ｆ１ａｉ／ｆ１ａｔ＜３．５                      ・・・（６）
なる条件を満足するのが良い。条件式（６）は、１ａ群中の正レンズのパワーを規定している。条件式（６）の下限が満足されないと、像側の正レンズのパワーが大きくなり、望遠側の球面収差補正が困難になり、製造敏感度の増大も招くため好ましくない。条件式（６）の上限が満足されないと、像側の正レンズのパワーが小さくなり、第１群の後側主点を像側に押し出すことが困難となる。
更に好ましくは、
１．６＜ｆ１ａｉ／ｆ１ａｔ＜３．３                      ・・・（６ａ）
を満足することが望ましい。
【００２７】
更に好ましくは第１群の正レンズの平均アッベ数をνｐ、第１群の負レンズの平均アッベ数をνｎとしたとき、
９０＜νｐ＜１００                                      ・・・（７）
３０＜νｎ＜４０                                        ・・・（８）
５６＜νｐ−νｎ＜６０                                  ・・・（９）
なる条件のうち少なくとも１つを満足するのが良い。条件式（７）〜（９）は、第１群の正レンズと負レンズのアッベ数を規定している。条件式（７）〜（９）を満足することで望遠側の軸上色収差を良好に補正することができる。
更に好ましくは、
９３＜νｐ＜９８                                        ・・・（７ａ）
３５＜νｎ＜３９                                        ・・・（８ａ）
５７＜νｐ−νｎ＜５９                                  ・・・（９ａ）
のうち少なくとも１つを満足することが望ましい。
【００２８】
次に各実施例の前述した以外の特徴について説明する。
【実施例１】
【００２９】
まず実施例１における第１レンズ群Ｆのレンズ構成について説明する。第１レンズ群Ｆは、後述の数値実施例において第１レンズ面〜第１２レンズ面に対応する。第１レンズ群Ｆは物体側より像側へ順に、負レンズと５枚の正レンズで構成されている。１ａは固定群であり、１ｂはフォーカスレンズ群である。非球面は第１３面、第２１面、第２６面に各々用いられており、第１３面は主に広角側の歪曲収差補正、第２１面は広角側のコマ収差等の軸外収差補正、第２６面は望遠側の球面収差補正を行っている。
【００３０】
数値実施例１は条件式（１）〜（９）の何れの条件式も満足している。実施例１は９０倍の高倍率（ズーム比）で広角端における撮影画角（画角）６７．７°と広角化を達成している。そして、ズーム全域において諸収差を良好に補正した高い光学性能を得ている。
【実施例２】
【００３１】
実施例２における第１レンズ群Ｆのレンズ構成について説明する。第１レンズ群Ｆは数値実施例において第１レンズ面〜第１２レンズ面に対応する。第１レンズ群Ｆは物体側より像側へ順に、負レンズと５枚の正レンズで構成されている。１ａは固定群であり、１ｂはフォーカスレンズ群である。非球面は第１３面、第２１面、第２７面に各々用いられており、第１３面は主に広角側の歪曲収差補正、第２１面は広角側のコマ収差等の軸外収差補正、第２７面は望遠側の球面収差補正を行っている。
【００３２】
数値実施例２は条件式（１）〜（９）の何れの条件式も満足している。実施例２は１２０倍の高倍率（ズーム比）で広角端における撮影画角（画角）６４．６°と広画角化を達成している。そして、ズーム全域において諸収差を良好に補正した高い光学性能を得ている。
【実施例３】
【００３３】
実施例３における第１レンズ群Ｆのレンズ構成について説明する。第１レンズ群Ｆは数値実施例において第１レンズ面〜第１２レンズ面に対応する。第１レンズ群Ｆは物体側より像側へ順に、負レンズと５枚の正レンズで構成されている。１ａは固定群であり、１ｂはフォーカスレンズ群である。非球面は用いられていないが、第２面と第３面のつくる空気レンズのシェイプファクタを適切に設定しているため、広角側のコマ収差等の軸外収差や、望遠側の球面収差を良好に補正している。
【００３４】
数値実施例３は条件式（１）〜（９）の何れの条件式も満足している。実施例３は９０倍の高倍率（ズーム比）で広角端における撮影画角（画角）６２．８６°と広画角化を達成している。そして、ズーム全域において諸収差を良好に補正した高い光学性能を得ている。
【実施例４】
【００３５】
図７は実施例１〜３のズームレンズを撮影光学系として用いた撮像装置（テレビカメラシステム）の要部概略図である。
【００３６】
図７において１０１は実施例１〜３のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１群Ｆ、変倍部ＬＺ、結像用の第４群Ｒを有している。第1群Ｆは合焦用レンズ群が含まれている。変倍部ＬＺは変倍のために光軸上を移動する第２群と、変倍に伴う像面変動を補正するために光軸上を移動する第３群が含まれている。ＳＰは開口絞りである。第４群Ｒは光路中より挿抜可能なレンズユニットＩＥ’、ＩＥを有している。レンズユニットＩＥ、ＩＥ’を切り替えることで、ズームレンズ１０１の全系の焦点距離範囲を変位している。１１４、１１５は各々第１群Ｆ、変倍部ＬＺを光軸方向に駆動するヘリコイドやカム等の駆動機構である。１１６〜１１８は駆動機構１１４、１１５および開口絞りＳＰを電動駆動するモータ（駆動手段）である。１１９〜１２１は、第１群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００３７】
以上、本発明の好ましい実施例について説明したが、本発明はこれらの実施例に限定されないことはいうまでもなく、その要旨の範囲内で種々の変形及び変更が可能である。
【００３８】
以下に本発明の実施例１〜３に対する数値実施例１〜３を示す。各数値実施例において、ｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッベ数である。最後の３つの面はフィルタ等のガラスブロックである。各実施例と前述した条件式との対応を表１に示す。
【００３９】
非球面形状は光軸方向にＸ軸、光軸と垂直方向にＨ軸、光の進行方向を正とし、Ｒを近軸曲率半径、ｋを円錐常数、Ａ４、Ａ６、Ａ８をそれぞれ非球面係数としたとき、次式で表している。また、「ｅ−Ｚ」は「×１０−Ｚ」を意味する。
【００４０】
【数１】
0005713774.tif 000002
【００４１】
数値実施例１
単位 mm
面データ
面番号       r        d      nd         vd       有効径
1       -596.824    6.00   1.83400    37.2      213.50
2        650.444   10.68                        207.27
3       6177.556   15.81   1.43387    95.1      207.08
4       -470.417    0.25                        206.90
5        987.962   21.13   1.43387    95.1      202.22
6       -435.802   16.57                        201.16
7        316.944   25.33   1.43387    95.1      198.86
8       -784.095    0.25                        198.33
9        233.492   16.59   1.43387    95.1      188.56
10        709.224    1.20                        187.05
11        142.823   17.17   1.43875    94.9      171.94
12        260.349  (可変)                        169.66
13*       453.585    2.20   2.00330    28.3       43.72
14         32.015   12.67                         36.50
15        -32.503    1.40   1.75500    52.3       35.79
16        148.424    8.44   1.95906    17.5       41.47
17        -56.574    0.29                         43.02
18        -60.680    1.60   1.90366    31.3       43.21
19       -119.627  (可変)                         45.05
20        119.283   12.13   1.59522    67.7       77.56
21*      -402.940    0.20                         78.07
22         97.170   13.59   1.59522    67.7       79.47
23       -351.177    0.20                         78.76
24         75.365    2.30   1.80518    25.4       72.34
25         41.438   20.22   1.43875    94.9       65.31
26*     -6022.050  (可変)                         63.23
27(絞り)    ∞       2.13                         29.17
28       -112.914    1.40   1.88300    40.8       28.48
29         27.001    6.75   1.80518    25.4       27.47
30        -76.507    3.00                         27.25
31        -34.763    3.50   1.88300    40.8       26.35
32        160.449    8.86                         27.13
33        -75.716    2.50   1.83400    37.2       29.74
34       -107.967    5.72   1.51823    58.9       30.86
35        -28.865   14.35                         31.72
36        -76.195    3.66   1.51742    52.4       31.21
37        -38.903    3.12                         31.46
38       -262.036    2.50   1.88300    40.8       29.76
39         40.083    6.06   1.53172    48.8       29.23
40        -63.891    0.20                         29.34
41        436.447    5.57   1.49700    81.5       29.01
42        -29.789    2.50   1.88300    40.8       28.81
43       -101.267    1.18                         29.47
44         54.276    5.93   1.48749    70.2       29.40
45        -58.327   10.00                         29.00
46          ∞      33.00   1.60859    46.4       60.00
47          ∞      13.20   1.51633    64.2       60.00
48          ∞       9.85                         60.00
像面        ∞   
非球面データ
第13面
K = 5.50859e+001  A 4= 1.39713e-006  A 6=-4.03371e-010  A 8=-1.43726e-013  
第21面
K = 8.31666e+000  A 4= 1.33817e-007  A 6= 2.68279e-011  A 8= 3.43705e-015  
第26面
K =-6.64183e+004  A 4= 6.33192e-007  A 6=-2.04475e-012  A 8=-2.60891e-014  
【００４２】
各種データ
ズーム比     90.00 
広角     中間     望遠
焦点距離       8.20   320.00   738.00  
Fナンバー      1.80     1.80     4.00  
半画角        33.85     0.98     0.43  
像高           5.50     5.50     5.50  
レンズ全長   599.24   599.24   599.24  
d12            2.65   147.67   154.81  
d19          242.40    39.30     3.51  
d26            3.00    61.08    89.72  
d48            9.85     9.85     9.85  
入射瞳位置   128.38  2847.27   8981.97  
射出瞳位置   351.79   351.79    351.79  
前側主点位置 136.78  3466.74  11312.80  
後側主点位置   1.65  -310.15   -728.15  
ズームレンズ群データ
群  始面    焦点距離  レンズ構成長  前側主点位置  後側主点位置
1    1     206.25       130.96        75.83        -14.25
2   13     -23.50        26.59         3.10        -17.06
3   20      64.00        48.64         6.93        -25.28
4   27      45.86       135.15        52.95          9.23
単レンズデータ
レンズ  始面  焦点距離
1       1   -370.01
2       3   1005.71
3       5    698.39
4       7    522.56
5       9    791.91
6      11    688.58
7      13    -34.14
8      15    -35.04
9      16     43.02
10      18   -137.03
11      20    155.43
12      22    128.88
13      24   -116.82
14      25     93.66
15      28    -24.42
16      29     25.30
17      31    -31.90
18      33   -313.07
19      34     73.89
20      36    147.95
21      38    -38.99
22      39     47.05
23      41     56.17
24      42    -48.31
25      44     58.49
26      46      0.00
27      47      0.00
【００４３】
数値実施例２
単位 mm
面データ
面番号       r        d      nd         vd       有効径
1       -963.426    6.00   1.83400    37.2      211.36
2        614.111    6.58                        206.71
3       1035.332   15.81   1.43387    95.1      206.33
4       -698.421    0.25                        205.87
5        983.534   15.52   1.43387    95.1      201.24
6       -741.068   26.27                        200.13
7        358.589   19.56   1.43387    95.1      191.74
8      -1310.234    0.25                        191.29
9        291.337   14.52   1.43387    95.1      185.97
10       1163.861    1.20                        184.80
11        197.140   13.39   1.43875    94.9      175.64
12        385.087  (可変)                        173.90
13*       726.621    2.20   2.00330    28.3       46.34
14         40.686    9.28                         40.29
15        -75.312    1.40   1.88300    40.8       39.48
16         47.652    9.21   1.92286    18.9       39.12
17        -80.805    2.43                         38.96
18        -47.132    1.60   1.81600    46.6       38.99
19       -170.645  (可変)                         41.16
20        174.628   13.78   1.61800    63.3       83.89
21*      -152.037    0.20                         84.67
22        107.082   15.29   1.59522    67.7       86.29
23       -264.891    0.20                         85.60
24        143.560    2.30   1.80518    25.4       79.67
25         54.214   18.57   1.43875    94.9       73.06
26          ∞       2.64                         71.56
27*     -2446.451    5.23   1.60311    60.6       70.31
28       -251.277  (可変)                         69.43
29(絞り)    ∞       2.34                         31.66
30       -105.663    1.40   1.88300    40.8       30.82
31         29.817    5.82   1.80518    25.4       29.53
32       -531.514    3.94                         29.26
33        -82.076    1.85   1.81600    46.6       28.25
34        118.801    0.15                         28.15
35         38.430    4.43   1.80809    22.8       28.45
36        203.623    2.54                         27.86
37        -89.475    1.58   1.88300    40.8       27.47
38        113.025    5.00                         27.29
39        -51.550    2.00   1.80100    35.0       27.57
40        171.377    6.41   1.51633    64.1       28.96
41        -30.640    0.49                         29.75
42        -80.780    1.91   1.64769    33.8       29.94
43      -1138.836    3.89   1.64000    60.1       30.54
44        -61.233    2.25                         30.92
45        370.794   10.15   1.64000    60.1       30.80
46        129.144    6.10                         30.29
47       -223.002    3.28   1.54072    47.2       30.64
48        -66.097    3.12                         30.83
49       -622.604    3.07   1.83400    37.2       30.30
50         51.166    5.34   1.53172    48.8       30.09
51        -76.406    0.20                         30.21
52       3131.104    5.12   1.49700    81.5       30.04
53        -33.362    2.50   1.88300    40.8       29.93
54        -72.482    1.18                         30.60
55         70.640    8.23   1.51823    58.9       30.16
56        -70.250   10.00                         29.58
57          ∞      33.00   1.60859    46.4       60.00
58          ∞      13.20   1.51633    64.2       60.00
59          ∞      10.31                         60.00
像面        ∞   
非球面データ
第13面
K =-1.62882e+003  A 4= 1.27340e-006  A 6=-7.94225e-010  A 8= 5.25483e-013  
第21面
K =-1.21122e+001  A 4= 1.87376e-008  A 6= 6.36712e-011  A 8=-6.52874e-015  
第27面
K = 3.67187e+003  A 4= 2.10552e-007  A 6=-1.16472e-010  A 8= 3.54033e-014  
【００４４】
各種データ
ズーム比    120.00 
広角     中間     望遠
焦点距離       8.70   300.00  1044.00  
Fナンバー      1.80     1.80     5.70  
半画角        32.30     1.05     0.30  
像高           5.50     5.50     5.50  
レンズ全長   665.61   665.61   665.61  
d12            2.65   191.71   205.85  
d19          295.63    56.75     1.94  
d28            2.82    52.65    93.32  
d59           10.31    10.31    10.31  
入射瞳位置   128.10  2714.86  13813.33  
射出瞳位置   197.86   197.86    197.86  
前側主点位置 137.21  3494.75  20668.99  
後側主点位置   1.61  -289.69  -1033.69  
ズームレンズ群データ
群  始面    焦点距離  レンズ構成長  前側主点位置  後側主点位置
1    1     261.57       119.35        74.70        -12.61
2   13     -26.00        26.13         4.74        -13.19
3   20      66.00        58.21        11.37        -29.38
4   29      42.57       150.50        55.78         18.14
単レンズデータ
レンズ  始面  焦点距離
1       1   -446.07
2       3    961.53
3       5    974.31
4       7    649.58
5       9    888.97
6      11    898.75
7      13    -42.67
8      15    -32.69
9      16     33.23
10      18    -79.86
11      20    133.17
12      22    129.66
13      24   -108.45
14      25    123.26
15      27    462.09
16      30    -26.06
17      31     34.90
18      33    -58.94
19      35     57.33
20      37    -56.02
21      39    -48.95
22      40     50.70
23      42   -133.40
24      43    100.57
25      45   -313.55
26      47    171.60
27      49    -56.21
28      50     58.20
29      52     66.26
30      53    -71.76
31      55     69.07
32      57      0.00
33      58      0.00
【００４５】
数値実施例３
単位 mm
面データ
面番号       r        d      nd         vd       有効径
1      -5000.000    6.00   1.83400    37.2      209.92
2        404.564    7.60                        203.75
3        443.152   21.77   1.43387    95.1      202.93
4       -795.645    0.25                        202.10
5       6677.972   12.02   1.43387    95.1      198.70
6       -654.694   25.50                        197.47
7        285.918   20.83   1.43387    95.1      185.44
8      -1807.516    0.25                        184.81
9        391.554   10.80   1.43387    95.1      180.25
10       1499.379    1.20                        179.10
11        168.213   12.79   1.43875    94.9      168.42
12        285.500  (可変)                        166.60
13        848.227    2.00   1.88300    40.8       47.43
14         49.564    8.54                         41.85
15        -79.401    1.90   1.81600    46.6       40.80
16        207.660    4.02                         39.88
17        -95.031    1.90   1.83481    42.7       39.74
18         73.746    6.68   1.95906    17.5       41.99
19       -240.930  (可変)                         43.07
20       9235.763   10.02   1.72916    54.7       71.76
21        -99.034    4.57                         72.83
22        -69.340    2.70   1.83400    37.2       72.88
23        -84.989    0.20                         75.27
24        113.102   14.65   1.49700    81.5       78.98
25       -199.463    0.30                         78.63
26         84.467    2.50   1.80518    25.4       74.06
27         46.932   14.85   1.49700    81.5       68.55
28        236.391    0.20                         67.68
29        219.192    5.08   1.60311    60.6       67.53
30          ∞     (可変)                         66.63
31(絞り)    ∞       3.36                         32.87
32       -100.212    1.80   1.81600    46.6       31.60
33         37.328    4.97   1.80809    22.8       30.54
34        231.528   10.91                         30.18
35        -31.662    1.59   1.81600    46.6       28.82
36        107.990   13.53   1.54814    45.8       30.96
37        -30.229   27.37                         34.26
38       -142.791   12.23   1.48749    70.2       34.29
39        -47.998    0.54                         35.08
40       -168.310    3.99   1.83400    37.2       34.26
41         49.847   10.62   1.48749    70.2       33.85
42        -57.971    4.04                         34.38
43        262.203    6.50   1.51742    52.4       33.31
44        -38.295    2.51   1.88300    40.8       32.99
45       -162.563    0.20                         33.39
46         59.847    5.54   1.51742    52.4       33.78
47        -91.069   15.00                         33.61
48          ∞      33.00   1.60859    46.4       60.00
49          ∞      13.20   1.51633    64.2       60.00
50          ∞      13.67                         60.00
像面        ∞   
【００４６】
各種データ
ズーム比     90.00 
広角     中間     望遠
焦点距離       9.00   320.00   810.00  
Fナンバー      1.85     1.85     4.50  
半画角        31.43     0.98     0.39  
像高           5.50     5.50     5.50  
レンズ全長   668.37   668.37   668.37  
d12            2.87   184.70   195.56  
d19          279.80    43.90     1.97  
d30            2.03    56.10    87.17  
d50           13.67    13.67    13.67  
入射瞳位置   132.61  2726.27   8694.18  
射出瞳位置   150.37   150.37    150.37  
前側主点位置 142.20  3795.37  14303.87  
後側主点位置   4.67  -306.33   -796.33  
ズームレンズ群データ
群  始面    焦点距離  レンズ構成長  前側主点位置  後側主点位置
1    1     257.56       119.01        72.87        -15.06
2   13     -27.50        25.04         5.08        -13.65
3   20      66.50        55.06        14.38        -23.28
4   31      41.60       170.89        60.43         16.92
単レンズデータ
レンズ  始面  焦点距離
1       1   -445.71
2       3    657.87
3       5   1371.47
4       7    569.28
5       9   1214.79
6      11    900.88
7      13    -59.34
8      15    -69.82
9      17    -49.21
10      18     58.71
11      20    133.86
12      22   -487.01
13      24    147.09
14      26   -133.96
15      27    114.49
16      29    362.01
17      32    -32.97
18      33     53.89
19      35    -29.70
20      36     44.41
21      38    141.80
22      40    -45.44
23      41     56.62
24      43     64.77
25      44    -56.95
26      46     70.37
27      48      0.00
28      49      0.00
【００４７】
【表１】
0005713774.tif 000003
【符号の説明】
【００４８】
Ｆ：第１レンズ群
Ｖ：第２レンズ群
Ｃ：第３レンズ群
Ｒ：第４レンズ群
【図１】
0005713774.tif 000004
【図２Ａ】
0005713774.tif 000005
【図２Ｂ】
0005713774.tif 000006
【図２Ｃ】
0005713774.tif 000007
【図３】
0005713774.tif 000008
【図４Ａ】
0005713774.tif 000009
【図４Ｂ】
0005713774.tif 000010
【図４Ｃ】
0005713774.tif 000011
【図５】
0005713774.tif 000012
【図６Ａ】
0005713774.tif 000013
【図６Ｂ】
0005713774.tif 000014
【図６Ｃ】
0005713774.tif 000015
【図７】
0005713774.tif 000016